(57)【要約】【課題】  本発明は圧着端子の筒状部を押しコマに位置固定して、該筒状部に裸電線部分を挿入して、位置決め状態で圧着端子を圧着することができ、配線作業を容易に行なうことができる裸圧着端子の圧着工具を得るにある。【解決手段】  裸圧着端子を押し圧する着脱可能な押しコマを備える裸圧着端子の圧着工具において、押しコマの上面を除く両側部を覆い、底面に該押しコマの取付片が挿入される挿入孔が形成された、弾性材で形成された裸圧着端子の支持部材と、押しコマの上部の両端部の支持部材の両端部に形成した、裸圧着端子の筒状部の両端部と係合する一対の係合片および、該裸圧着端子の筒状部の上下方向の位置決めを図る先端部側が下方へ傾斜する一対のストッパー片とからなる裸圧着端子の位置決め具を設けて裸圧着端子の圧着工具を構成している。【選択図】  図１
2015018632.tif 000002
【特許請求の範囲】
【請求項１】
裸圧着端子を押し圧する着脱可能な押しコマを備える裸圧着端子の圧着工具において、前記押しコマの上面を除く両側部を覆い、底面に該押しコマの取付片が挿入される挿入孔が形成された、弾性材で形成された裸圧着端子の支持部材と、前記押しコマの上部の両端部の前記支持部材の両端部に形成した、前記裸圧着端子の筒状部の両端部と係合する一対の係合片および、該裸圧着端子の筒状部の上下方向の位置決めを図る先端部側が下方へ傾斜する一対のストッパー片とからなる裸圧着端子の位置決め具を設けたことを特徴とする裸圧着端子の圧着工具。
【請求項２】
裸圧着端子の位置決め具は支持部材の両端部の両側部に内側が下方に位置する傾斜面の二対の裸圧着端子の筒状部を誘導する誘導部が形成されていることを特徴とする請求項１記載の裸圧着端子の圧着工具。
【発明の詳細な説明】
【技術分野】
【０００１】
本発明は分電盤、配電盤等の取付端子に、裸電線部分に圧着固定された裸圧着端子を取付ける場合に使用される裸圧着端子の圧着工具に関する。
【背景技術】
【０００２】
従来の裸圧着端子の圧着工具は、裸電線部分を圧着端子の筒状部に挿入し、該筒状部を押しコマで油圧ポンプあるいは電動式スイッチで固定コマ方向へ押し圧して圧着している。
【０００３】
しかしながら、その作業は分電盤、配電盤の設置されている狭い場所が多く、重量のある裸圧着端子の圧着工具を片手で持ち、もう一方の片手で油圧ポンプのハンドルや電動式スイッチを操作しなければならず、大変な作業で、手間がかかるという欠点があった。
【０００４】
また、分電盤、配電盤等の取付端子に圧着端子を取付ける場合、接触面が平行でないと、プライヤー等の工具を使い、圧着端子と取付端子を合わせなければならないが、特に太い電線になればなるほど、大変な作業になるため、無理に圧着端子と取付端子に取付けるボルトねじの力を利用して接触させると、大きな電流が流れるため、加熱の原因にもなり、事故につながる恐れがあるという欠点があった。
【先行技術文献】
【特許文献】
【０００５】
【特許文献１】特開昭６２−１８４６８４号公報
【発明の概要】
【発明が解決しようとする課題】
【０００６】
本発明は以上のような従来の欠点に鑑み、圧着端子の筒状部を押しコマに位置固定して、該筒状部に裸電線部分を挿入して、位置決め状態で圧着端子を圧着することができ、配線作業を容易に行なうことができる裸圧着端子の圧着工具を提供することを目的としている。
【０００７】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００８】
上記目的を達成するために、本発明は裸圧着端子を押し圧する着脱可能な押しコマを備える裸圧着端子の圧着工具において、前記押しコマの上面を除く両側部を覆い、底面に該押しコマの取付片が挿入される挿入孔が形成された、弾性材で形成された裸圧着端子の支持部材と、前記押しコマの上部の両端部の前記支持部材の両端部に形成した、前記裸圧着端子の筒状部の両端部と係合する一対の係合片および、該裸圧着端子の筒状部の上下方向の位置決めを図る先端部側が下方へ傾斜する一対のストッパー片とからなる裸圧着端子の位置決め具を設けて裸圧着端子の圧着工具を構成している。
【発明の効果】
【０００９】
以上の説明から明らかなように、本発明にあっては次に列挙する効果が得られる。
（１）請求項１により、押しコマに裸圧着端子の筒状部を裸圧着端子の位置決め具によって、位置決め状態で係止することができる。
したがって、圧着作業は裸電線部分の裸圧着端子の筒状部への挿入状態を確認して行なうことができ、裸圧着端子の筒状部と裸電線部分がずれたりするのを効率よく防止して、思い通りの位置で圧着することができ、分電盤、配電盤の取付端子と平行となるように、楽な操作で裸圧着端子に裸電線部分を圧着することができる。
（２）前記（１）により、裸圧着端子の筒状部を支持部材の一対の係合片で係合し、かつ一対のストッパー片で裸圧着端子の筒状部の上下方向に位置決めができるため、裸圧着端子の筒状部を最適な位置決めを行なって圧着することができ、最適な状態で裸圧着端子と裸電線部分を圧着することができ、その後の配線作業を楽で効率よく行なうことができる。
（３）前記（１）により、裸圧着端子の位置決め具を押しコマの取付片に挿入するだけでよいので、楽に取付けて使用できるとともに、既存の裸圧着端子の圧着工具にも使用することができる。
（４）前記（１）により、裸圧着端子の位置決め具によって、裸圧着端子が位置決めされるので、圧着作業時に、従来のように裸圧着端子の位置に気を付けることなく、行なうことができる。
【００１０】
したがって、圧着作業が容易で、楽に行なうことができる。
（５）請求項２も前記（１）〜（４）と同様な効果が得られるとともに、二対の誘導孔によって、裸圧着端子の筒状部を一対の係合片や一対のストッパー片に係合させることができる。
したがって、裸圧着端子の筒状部の裸圧着端子の位置決め具に簡単に取付けることができる。
【図面の簡単な説明】
【００１１】
【図１】本発明を実施するための第１の形態の正面図。
【図２】図１の２−２線に沿う断面図。
【図３】本発明を実施するための第１の形態の押しコマと裸圧着端子の位置決め具の説明図。
【図４】本発明を実施するための第１の形態の裸圧着端子の位置決め具の平面図。
【図５】本発明を実施するための第１の形態の裸圧着端子の位置決め具の正面図。
【図６】本発明を実施するための第１の形態の裸圧着端子の位置決め具の側面図。
【図７】本発明を実施するための第１の形態の裸圧着端子の筒状部を取付けた状態の平面図。
【図８】図７の８−８線に沿う断面図。
【図９】本発明を実施するための第２の形態の正面図。
【図１０】本発明を実施するための第２の形態の押しコマと裸圧着端子の位置決め具の説明図。
【図１１】本発明を実施するための第２の形態の裸圧着端子の位置決め具の説明図。
【発明を実施するための形態】
【００１２】
以下、図面に示す本発明を実施するための形態により、本発明を詳細に説明する。
【００１３】
図１ないし図８に示す本発明を実施するための第１の形態において、１は本発明の裸圧着端子の圧着工具で、この裸圧着端子の圧着工具１は先端中央部に操作レバー２の操作で突出するように移動する押しコマ３が着脱可能に設けられた油圧ポンプを用いた裸圧着端子の圧着工具本体４と、この裸圧着端子の圧着工具本体４の先端部の一端部に枢支ピン５で回動可能に取付けられ、かつ前記押しコマ３と対応する部位に凹部６が形成された固定コマ支持体７と、この固定コマ支持体７の遊端部を前記裸圧着端子の圧着工具本体４に着脱可能に固定する、該圧着工具本体４の他端部の係止片８と着脱可能に係合する係合片９と、前記固定コマ支持体７に軸１０で回転可能に取付けられた外周に大きさの異なる固定コマ１１、１１Ａ、１１Ｂ、１１Ｃ、１１Ｄが形成された固定コマ体１２と、前記押しコマ３に着脱可能に取付けられた裸圧着端子の位置決め具１３とで構成されている。
【００１４】
前記裸圧着端子の位置決め具１３は、図３ないし図６に示すように前記押しコマ３の上面を除く両側部を覆い、該押しコマ３の両側部を係止する係止部１６ａ、底面に該押しコマ３の取付片１４が挿入される挿入孔１５が形成された、弾性材で形成された上部が開口したほぼ楕円形状の裸圧着端子の支持部材１６と、前記押しコマ３の上部の両端部の前記支持部材１６の両端部に形成した、前記裸圧着端子の筒状部１７の両端部と係合する一対の係合片１８、１８および、この一対の係合片１８、１８の中央部で、該裸圧着端子の筒状部１７の上下方向の位置決めを図る先端部側が下方へ傾斜１９、１９する一対のストッパー片２０、２０とで構成されている。
【００１５】
上記構成の裸圧着端子の圧着工具１は、押しコマ３に裸圧着端子の位置決め具１３を取付け、裸圧着端子の圧着工具本体４の押しコマ取付部２１に押しコマ３の取付片１４を挿入して取付ける。
【００１６】
この状態で、裸圧着端子の筒状部１７を一対の係合片１８、１８および一対のストッパー片２０、２０に分電盤、配電盤の取付端子に取付ける時に、平行となるように位置させて係合させる。
【００１７】
しかる後、押しコマ３に位置決め状態で裸圧着端子の位置決め具１３を介して係止された裸圧着端子の筒状部１７に裸電線部分２２を挿入し、操作レバー２を操作して押しコマ３を固定コマ１１へ押し圧することにより、裸電線部分２２に裸圧着端子の筒状部１７が圧着された状態となる。
【００１８】
この時、裸圧着端子の筒状部１７が動いて位置が変化することがないので、裸電線部分２２の位置だけ気を付けて、操作レバー２の操作で圧着作業ができ、気軽に圧着作業を行なうことができる。
【００１９】
なお、使用する電線の太さによって押しコマ３や固定コマ１１、１１Ａ、１１Ｂ、１１Ｃ、１１Ｄを選択することにより、電線の太さに最適な裸圧着端子を圧着することができる。    
【００２０】
[発明を実施するための異なる形態]
次に、図９ないし図１１に示す本発明を実施するための異なる形態につき説明する。なお、この本発明を実施するための異なる形態の説明に当って、前記本発明を実施するための第１の形態と同一構成部分には同一符号を付して重複する説明を省略する。
【００２１】
図９ないし図１１に示す本発明を実施するための第２の形態において、前記本発明を実施するための第１の形態と主に異なる点は、裸圧着端子の圧着工具本体４Ａの先端部に固定コマ１１が形成された固定コマ支持体７Ａを固定的に設けるとともに、支持部材１６の両端部の両側部に内側が下方に位置する傾斜面２３、２３の二対の裸圧着端子の筒状部１７を誘導する誘導部２４、２４、２４、２４が形成された押しコマ３に取付けられる裸圧着端子の位置決め具１３Ａを用いた点で、このような裸圧着端子の位置決め具１３Ａを用いて構成した裸圧着端子の圧着工具１Ａにしても、前記本発明を実施する端の第１形態と同様な作用効果が得られるとともに、小径の電線に用いると最適に使用することができる。
【００２２】
なお、前記本発明の実施の形態では、裸圧着端子の圧着工具本体４、４Ａとして、手動式の油圧ポンプを用いるものについて説明したが、本発明はこれに限らず、現在市販されている電動（バッテリーを含む）のものであってもよい。
すなわち、押しコマを用いる裸圧着端子の圧着工具であれば、どんな構造のものでもよい。
【産業上の利用可能性】
【００２３】
本発明は裸圧着端子と裸電線部分とを圧着する裸圧着端子の圧着工具を製造する産業で利用される。
【符号の説明】
【００２４】
１、１Ａ：裸圧着端子の圧着工具、
２：操作レバー、      ３：押しコマ、
４、４Ａ：裸圧着端子の圧着工具本体、
５：枢支ピン、      ６：凹部、
７、７Ａ：固定コマ支持体、  ８：係止片、
９：係合部材  、      １０：軸、
１１、１１Ａ、１１Ｂ、１１Ｃ、１１Ｄ：固定コマ、
１２：固定コマ体、  
１３：裸圧着端子の位置決め具、
１４：取付片、      １５：挿入孔、
１６：支持部材、      １７：裸圧着端子の筒部材、
１８：係合片、      １９：傾斜面、
２０：ストッパー片、    ２１：押しコマ取付部、
２２：裸電線部分、      ２３：傾斜面、
２４：誘導部。
【図１】
2015018632.tif 000003
【図２】
2015018632.tif 000004
【図３】
2015018632.tif 000005
【図４】
2015018632.tif 000006
【図５】
2015018632.tif 000007
【図６】
2015018632.tif 000008
【図７】
2015018632.tif 000009
【図８】
2015018632.tif 000010
【図９】
2015018632.tif 000011
【図１０】
2015018632.tif 000012
【図１１】
2015018632.tif 000013